(57)【要約】【課題】複数の通信装置間でのパケット通信において使用可能な有用なネットワークシステムを提供すること。【解決手段】本技術の一形態に係るネットワークシステムは、複数の通信装置と、パケット中継装置と、制御装置とを具備する。前記複数の通信装置は、パケット通信が可能である。前記パケット中継装置は、前記パケット通信のための複数のネットワークを有し、前記複数の通信装置のそれぞれが前記複数のネットワークのうち少なくとも２以上のネットワークと接続可能なように、前記複数の通信装置と接続される。前記制御装置は、前記パケット中継装置を介して前記複数の通信装置のそれぞれに、前記複数のネットワークの中から接続先となる前記ネットワークを選択して指示する。【選択図】図２
2014057239.tif 000002
【特許請求の範囲】
【請求項１】
パケット通信が可能な複数の通信装置と、
前記パケット通信のための複数のネットワークを有し、前記複数の通信装置のそれぞれが前記複数のネットワークのうち少なくとも２以上のネットワークと接続可能なように、前記複数の通信装置と接続されるパケット中継装置と、
前記パケット中継装置を介して前記複数の通信装置のそれぞれに、前記複数のネットワークの中から接続先となる前記ネットワークを選択して指示する制御装置と
を具備するネットワークシステム。
【請求項２】
請求項１に記載のネットワークシステムであって、
前記パケット中継装置は、前記複数の通信装置のそれぞれが前記複数のネットワークの全てと接続可能なように、前記複数の通信装置と接続される
ネットワークシステム。
【請求項３】
請求項１に記載のネットワークシステムであって、
前記パケット中継装置は、前記複数のネットワークとして複数のＶＬＡＮ（Virtual Local Area Network）を有する１以上のレイヤ２スイッチである
ネットワークシステム。
【請求項４】
請求項１に記載のネットワークシステムであって、
前記パケット中継装置は、前記複数のネットワークとして複数のＬＡＮ（Local Area Network）を有する１以上のレイヤ３スイッチである
ネットワークシステム。
【請求項５】
請求項１に記載のネットワークシステムであって、
前記パケット中継装置は、前記複数のネットワークのうちの１つとして、前記制御装置による指示のための前記複数の通信装置に共通して接続される制御用ネットワークを有し、
前記制御装置は、前記制御用ネットワークを介して、前記複数のネットワークのうち前記制御用ネットワークを除く複数の通信用のネットワークの中から前記接続先のネットワークを選択して指示する
ネットワークシステム。
【請求項６】
請求項１に記載のネットワークシステムであって、
前記制御装置は、前記複数の通信装置間の接続状態と、前記複数の通信装置と前記複数のネットワークとの接続状態とを含むシステム状態を、クロスポイント表現を用いて管理する
ネットワークシステム。
【請求項７】
請求項６に記載のネットワークシステムであって、
前記制御装置は、前記システム状態を前記クロスポイント表現により表示するための表示情報を出力する
ネットワークシステム。
【請求項８】
請求項１に記載のネットワークシステムであって、
前記制御装置は、前記接続先のネットワークの指示として、前記接続先ネットワークの情報と、前記パケット通信の通信先となる前記複数の通信装置のうちの他の通信装置のアドレスとを含む設定情報を送信する
ネットワークシステム。
【請求項９】
請求項８に記載のネットワークシステムであって、
前記通信装置は、前記制御装置により送信された前記設定情報をもとに、パケット通信のための設定を実行する
ネットワークシステム。
【請求項１０】
請求項１に記載のネットワークシステムであって、
前記通信装置は、前記複数のネットワークのうち２以上のネットワークをそれぞれ前記接続先ネットワークとして、当該２以上の接続先ネットワークと同時に接続可能である
ネットワークシステム。
【請求項１１】
請求項１に記載のネットワークシステムであって、
前記制御装置は、前記指示のために、前記通信装置とＳＮＰＭ（Simple Network Management Protocol）により通信する
ネットワークシステム。
【発明の詳細な説明】
【技術分野】
【０００１】
本技術は、パケット通信を可能とするネットワークシステムに関する。
【背景技術】
【０００２】
例えば特許文献１には、その図１に示すように、複数のノード１０〜４０とレイヤ２スイッチ１１〜１７とで構成されるネットワーク転送システムが記載されている。複数のノード１０〜４０は、レイヤ２スイッチ１１〜１７により構成されるレイヤ２ネットワークＶＬＡＮ（Virtual Local Area Network）１〜３により接続される。これらレイヤ２ネットワークＶＬＡＮ１〜３は経路がループを構成しないよう構成される。これにより経路設定に運用者のポリシーを反映させることができ、ネットワーク資源の有効利用が図れ、かつ速やかな障害復旧が可能となると記載されている（特許文献１の明細書段落[００１４]−［００１６］、[００６０]等参照）。
【先行技術文献】
【特許文献】
【０００３】
【特許文献１】特開２００３−１５８５３９号公報
【発明の概要】
【発明が解決しようとする課題】
【０００４】
このように、複数のノード間でのパケット通信に使用される有用なネットワークシステムが求められている。
【０００５】
以上のような事情に鑑み、本技術の目的は、複数の通信装置間でのパケット通信において使用可能な有用なネットワークシステムを提供することにある。
【課題を解決するための手段】
【０００６】
上記目的を達成するため、本技術の一形態に係るネットワークシステムは、複数の通信装置と、パケット中継装置と、制御装置とを具備する。
前記複数の通信装置は、パケット通信が可能である。
前記パケット中継装置は、前記パケット通信のための複数のネットワークを有し、前記複数の通信装置のそれぞれが前記複数のネットワークのうち少なくとも２以上のネットワークと接続可能なように、前記複数の通信装置と接続される。
前記制御装置は、前記パケット中継装置を介して前記複数の通信装置のそれぞれに、前記複数のネットワークの中から接続先となる前記ネットワークを選択して指示する。
【０００７】
このネットワークシステムでは、複数の通信装置のそれぞれが少なくとも２以上のネットワークと接続可能なように、パケット中継装置が設けられる。そして制御装置により、各通信装置に、接続先となるネットワークが指示される。これにより複数の通信装置間でのパケット通信において使用可能な有用なネットワークシステムが実現する。
【０００８】
前記パケット中継装置は、前記複数の通信装置のそれぞれが前記複数のネットワークの全てと接続可能なように、前記複数の通信装置と接続されてもよい。
このネットワークシステムでは、複数の通信装置のそれぞれが複数のネットワークの全てと接続可能なように、パケット中継装置が設けられる。そして制御装置により、各通信装置に、接続先となるネットワークが指示される。これにより複数の通信装置間でのパケット通信において使用可能な有用なネットワークシステムが実現する。
【０００９】
前記パケット中継装置は、前記複数のネットワークとして複数のＶＬＡＮ（Virtual Local Area Network）を有する１以上のレイヤ２スイッチであってもよい。
このように複数のネットワークとして複数のＶＬＡＮが用いられてもよい。
【００１０】
前記パケット中継装置は、前記複数のネットワークとして複数のＬＡＮ（Local Area Network）を有する１以上のレイヤ３スイッチであってもよい。
このように複数のネットワークとして複数のＬＡＮが用いられてもよい。
【００１１】
前記パケット中継装置は、前記複数のネットワークのうちの１つとして、前記制御装置による指示のための前記複数の通信装置に共通して接続される制御用ネットワークを有してもよい。その場合、前記制御装置は、前記制御用ネットワークを介して、前記複数のネットワークのうち前記制御用ネットワークを除く複数の通信用のネットワークの中から前記接続先のネットワークを選択して指示してもよい。
このネットワークシステムでは、複数のネットワークのうちの１つとして制御用ネットワークが設定される。そして制御用ネットワークを介して、複数の通信用ネットワークの中から接続先ネットワークが選択されて指示される。
【００１２】
前記制御装置は、前記複数の通信装置間の接続状態と、前記複数の通信装置と前記複数のネットワークとの接続状態とを含むシステム状態を、クロスポイント表現を用いて管理してもよい。
システム状態がクロスポイント表現により管理されることで、ネットワークシステムを容易に管理することができる。
【００１３】
前記制御装置は、前記システム状態を前記クロスポイント表現により表示するための表示情報を出力してもよい。
これによりクロスポイント表現によるシステム状態の表示が可能となるので、ネットワークシステムの接続状態の把握や管理等が容易となる。
【００１４】
前記制御装置は、前記接続先のネットワークの指示として、前記接続先ネットワークの情報と、前記パケット通信の通信先となる前記複数の通信装置のうちの他の通信装置のアドレスとを含む設定情報を送信してもよい。
このように接続先ネットワークの情報と通信相手となる通信装置のアドレスとを含む設定情報が、制御装置から送信されてもよい。
【００１５】
前記通信装置は、前記制御装置により送信された前記設定情報をもとに、パケット通信のための設定を実行してもよい。
このように制御装置からの設定情報をもとにパケット通信のための設定を実行可能な通信装置が用いられてもよい。
【００１６】
前記通信装置は、前記複数のネットワークのうち２以上のネットワークをそれぞれ前記接続先ネットワークとして、当該２以上の接続先ネットワークと同時に接続可能であってもよい。
通信装置として、２以上の接続先ネットワークと同時に接続可能なものが用いられてもよい。
【００１７】
前記制御装置は、前記指示のために、前記通信装置とＳＮＰＭ（Simple Network Management Protocol）により通信してもよい。
このように制御装置と通信装置とが、ＳＮＰＭにより通信可能であってもよい。
【発明の効果】
【００１８】
以上のように、本技術によれば、複数の通信装置間でのパケット通信において使用可能な有用なネットワークシステムを実現することができる。
【図面の簡単な説明】
【００１９】
【図１】本技術の第１の実施形態に係るネットワークシステムの概要を説明するための図である。
【図２】第１の実施形態に係るネットワークシステムの構成例を示す図である。
【図３】図２に示すネットワークシステムの接続状態を管理するために用いられるクロスポイント表現の例を示す図である。
【図４】図３に示すクロスポイント表現において複数のノードと複数のＶＬＡＮとの接続状態を表現する一例としてのＶＬＡＮ接続表である。
【図５】第２の実施形態に係るネットワークシステムの構成例を示す図である。
【図６】第３の実施形態に係るネットワークシステムの構成例を示す図である。
【図７】第４の実施形態に係るネットワークシステムの構成例を示す図である。
【図８】第４の実施形態に係るクロスポイント表現の一例を示す図である。
【図９】第４の実施形態に係るＶＬＡＮ接続表である。
【図１０】第５の実施形態に係るネットワークシステムの構成例を示す図である。
【図１１】第５の実施形態に係るクロスポイント表現の一例を示す図である。
【図１２】第５の実施形態に係るＶＬＡＮ接続表である。
【図１３】第６の実施形態に係るネットワークシステムの構成例を示す図である。
【図１４】第６の実施形態に係るクロスポイント表現の一例を示す図である。
【図１５】第６の実施形態に係るＶＬＡＮ接続表である。
【図１６】第７の実施形態に係るネットワークシステムの構成例を示す図である。
【図１７】第７の実施形態に係るクロスポイント表現の一例を示す図である。
【図１８】第７の実施形態に係るＶＬＡＮ接続表である。
【図１９】第８の実施形態に係るネットワークシステムの構成例を示す図である。
【図２０】第８の実施形態に係るクロスポイント表現の一例を示す図である。
【図２１】第８の実施形態に係るＶＬＡＮ接続表である。
【図２２】第９の実施形態に係るネットワークシステムの構成例を示す図である。
【図２３】第９の実施形態に係るクロスポイント表現の一例を示す図である。
【図２４】第９の実施形態に係るＶＬＡＮ接続表である。
【図２５】制御装置及び通信装置として用いられる情報処理装置（コンピュータ）の構成例を示す模式的なブロック図である。
【図２６】本技術の他の実施形態としてのネットワークシステムの構成例を示す図である。
【発明を実施するための形態】
【００２０】
以下、本技術に係る実施形態を、図面を参照しながら説明する。
【００２１】
＜第１の実施形態＞
［ネットワークシステムの概要］
図１は、本技術の第１の実施形態に係るネットワークシステムの概要を説明するための図である。図１に示すように、本実施形態では、パケット通信が可能な複数の通信装置１０が、複数のネットワーク２０としての複数のＶＬＡＮ（Virtual Local Area Network：仮想ネットワーク）１−４を介して接続される。複数の通信装置１０はいずれも、複数のＶＬＡＮ１−４の全てと接続可能なように設定される。
【００２２】
図１には、ＶＬＡＮ１−４が図示されているが、これに加えて制御用ネットワークとしてＶＬＡＮ５も設定される。本実施形態では、ＶＬＡＮ１−５が複数のネットワーク２０として設定される。以後、複数のＶＬＡＮ１−５を区別せずに記載する場合に、これらをまとめてＶＬＡＮ２０と記載する場合がある。
【００２３】
図１では、各ＶＬＡＮ２０における接続状態が、複数のクロスポイント１を有するマトリックス２で表現されている。以後、１つのＶＬＡＮ２０に対して全ての通信装置が接続可能な状態を、当該ＶＬＡＮ２０がクロスポイント構造を有すると記載する。本実施形態では、複数のＶＬＡＮ１−５のそれぞれがクロスポイント構造を有する。
【００２４】
このような接続状態において、本実施形態のネットワークシステム１００では、制御装置３０により、各通信装置１０へ、複数のＶＬＡＮ１−５の中から接続先となるＶＬＡＮ４０（接続先ネットワーク）が選択されて指示される。接続先ＶＬＡＮ４０は、通信装置１０によりパケット通信が行われる際に使用されるＶＬＡＮ２０に相当する。
【００２５】
すなわち各ＶＬＡＮ２０がクロスポイント構造を有する状態で、パケット通信に使用される接続先ＶＬＡＮ４０が、制御装置３０により適宜制御される。これにより複数の通信装置１０間でのパケット通信において使用可能な、有用なネットワークシステム１００が実現する。以下詳しく説明する。
【００２６】
［ネットワークシステムの構成及び動作］
図２は、本実施形態に係るネットワークシステム１００の構成例を示す図である。ネットワークシステム１００は、複数の通信装置１０と、複数の通信装置１０と接続されるパケット中継装置５０と、ネットワークシステム１００を管理するための制御装置３０とを有する。
【００２７】
各通信装置１０により、パケット化された例えば映像や音声のデータ等が送信及び受信される。取り扱われるパケットは限定されず、例えば誤り訂正符号等が付加されたものが通信されてもよい。また映像や音声のデータとは異なるデータがパケット化されて通信されてもよい。
【００２８】
図１及び図２では、複数の通信装置１０として、ノードＡ１−Ａ４とノードＢ１−Ｂ４とが図示されている（これらのノードをまとめてノード１０と記載する場合がある）。ノードＡ１−Ａ４とノードＢ１−Ｂ４とは、互いに通信相手となるグループとして図示されている。これは後述するクロスポイント表現との関係で説明を分かりやすくするための便宜的なものである。すなわちノードＡ１−Ａ４及びノードＢ１−Ｂ４の８つの通信装置１０は、これらの間に設定されたＶＬＡＮ２０が同じもの同士で通信するものであり、本質的に差異はない。
【００２９】
なおノード１０の数は限定されない。例えばＶＬＡＮ２０の数がより多く設定可能であるのならば、より多くのノード１０を接続することが可能である。
【００３０】
パケット中継装置５０は、複数の通信装置１０によるパケット通信のための複数のネットワーク２０を有する。本実施形態のパケット中継装置５０は、複数のネットワーク２０として複数のＶＬＡＮ２０を有する１以上のレイヤ２スイッチである。以後パケット中継装置５０を、スイッチ５０として記載する。
【００３１】
スイッチ５０にＶＬＡＮ１−５を設定するための技術は特に限定されず、例えばＶＬＡＮ−Ｔａｇ技術等の任意の技術が用いられてよい。本実施形態では、各ＶＬＡＮ１−５は互いに独立したネットワークとして構築される。なおスイッチ５０に設定されるＶＬＡＮ２０の数は限定されない。
【００３２】
図２に示すように、スイッチ５０は、８つのトランクポート（ＶＬＡＮトランク）５１−５８と、１つのアクセスポート５９とを有する。８つのトランクポート５１−５８は、複数のＶＬＡＮ１−５の全てと通信可能なように設定されている。すなわち複数のトランクポート５１−５８のそれぞれが複数のＶＬＡＮ１−５の全てと通信可能に設定されている。
【００３３】
８つのトランクポート５１−５８には、ノードＡ１−Ａ４及びノードＢ１−Ｂ４がそれぞれ接続される。トランクポート５１−５４にはノードＡ１−Ａ４が接続され、トランクポート５５−５８にはノードＢ１−Ｂ４が接続される。従ってノードＡ１−Ａ４及びノードＢ１−Ｂ４のそれぞれが複数のＶＬＡＮ１−５の全てと接続可能なように、ノードＡ１−Ａ４及びノードＢ１−Ｂ４とスイッチ５０とが接続される。
【００３４】
トランクポートを設定するための例えばトランキングプロトコル等は限定されない。例えば各ＶＬＡＮ２０を識別するためのタグが適宜用いられることで、トランクポートの設定が実現される。各ノード１０とスイッチ５０とは、例えばＬＡＮ（Local Area Network）やＷＡＮ（Wide Area Network）等を介して接続される。
【００３５】
アクセスポート５９は、複数のＶＬＡＮ１−５のうちＶＬＡＮ５のみと接続される。またアクセスポート５９には、本実施形態に係る制御装置３０として動作するノードＣが接続される。
【００３６】
ノードＣは、ネットワーク管理機能を有し、複数のノード１０のそれぞれに、複数のＶＬＡＮ２０の中から接続先となるＶＬＡＮ４０を選択して指示する。すなわちノードＣは、ノードＡ１−Ａ４及びノードＢ１−Ｂ４に対して、各々が使用するＶＬＡＮ２０を通知する機能を有している。
【００３７】
図２に示すように、ＶＬＡＮ５は、複数のノード１０及びノードＣに共通して接続される。このＶＬＡＮ５が、制御用ネットワーク６０として用いられる。従ってＶＬＡＮ５は、複数のＶＬＡＮ２０のうちの１つとして、ノードＣによる指示のための複数のノード１０に共通して接続される制御用ネットワーク６０に相当する。
【００３８】
本実施形態では、複数のＶＬＡＮ２０のうち制御用ＶＬＡＮ６０であるＶＬＡＮ５を除いたＶＬＡＮ１−４が、複数の通信用ＶＬＡＮ７０（通信用ネットワーク）として用いられる。ノードＣは、制御用ＶＬＡＮ６０を介して、複数の通信用ＶＬＡＮ７０の中から接続先ＶＬＡＮ４０を選択して指示する。従って各ノード１０には、制御用ＶＬＡＮ６０と接続先ＶＬＡＮ４０とが設定される。
【００３９】
ノードＣは、接続先ＶＬＡＮ４０の指示として、接続先ＶＬＡＮ４０の情報と、通信先のノード１０のアドレスとを含む設定情報を送信する。接続先ＶＬＡＮ４０の情報は、各ノード１０に接続先ＶＬＡＮ４０を設定させるための情報であり、典型的には接続先ＶＬＡＮ４０のＩＤである。通信先ノード１０のアドレスは、パケット通信の通信先となる複数のノード１０のうちの他のノード１０のアドレスである。例えばＭＡＣアドレス（Media Access Control address）やＩＰアドレス（Internet Protocol address）等が用いられる。その他の情報が用いられてもよい。
【００４０】
本実施形態では、接続先ＶＬＡＮ４０の指示のために、ノードＣと複数のノード１０とは、ＳＮＰＭ（Simple Network Management Protocol）により通信可能となっている。その他、独自のプロトコルが用いられてもよい。
【００４１】
複数のノード１０は、ノードＣにより送信された設定情報をもとに、パケット通信のための設定を実行する。設定情報をもとにしたパケット通信の設定のためのプロトコル等は限定されない。例えば設定のためのソフトウェア等がノード１０に予めインストールされていてもよい。
【００４２】
図２に示す例では、ノードＣからの指示により、各ノードの接続先ＶＬＡＮ４０が以下のように設定されている。すなわちノードＡ１及びＢ１にＶＬＡＮ１が設定され、ノードＡ２及びＢ２にＶＬＡＮ２が設定される。またノードＡ３及びＢ３にＶＬＡＮ３が設定され、ノードＡ４及びＢ４にＶＬＡＮ４が設定される。
【００４３】
従ってこの例では、ノードＡ１及びＢ１間と、ノードＡ２及びＢ２間と、ノードＡ３及びＢ３間と、ノードＡ４及びＢ４間とが、それぞれ通信可能な状態となっている。ノードＣにより、各ノード１０に割り振られるＶＬＡＮ２０が変更されることで、特定のノード１０間のパケット通信が実現する。ノードＣは、例えば各ＶＬＡＮ２０のトラフィック量の監視等を行いながら、各ノード１０の接続先ＶＬＡＮ４０の設定を適宜指示する。これにより有用なネットワークシステム１００が実現する。
【００４４】
図３は、ネットワークシステム１００の接続状態を管理するために用いられるクロスポイント表現の例を示す図である。図４は、複数のノードと複数のＶＬＡＮとの接続状態を表現する一例としてのＶＬＡＮ接続表である。なお図３及び図４では、図２に示す接続状態が表現されている。
【００４５】
本実施形態では、ノードＣにより、複数のノード１０間の接続状態と、複数のノード１０と複数のＶＬＡＮ２０との接続状態とを含むシステム状態が管理される。すなわちノードＣにより、どのノード１０とどのノード１０がどのＶＬＡＮ２０を介して通信可能であるかが管理される。このシステム状態の管理が、図３及び図４に示すクロスポイント表現及びＶＬＡＮ接続表が利用されることで実行される。
【００４６】
クロスポイント表現は、複数のクロスポイント１５を用いた表現である。複数のクロスポイント１５が、複数のノード１０間の接続ポイントに対応付けられて表現される。例えば図３では、ノードＡ１−Ａ４からなるノード群１６を縦方向に、ノードＢ１−Ｂ４からなるノード群１７を横方向に配置されている。そして通信設定されたノード１０間に位置する丸記号（クロスポイント１５）が黒に、通信設定が未設定のノード１０間に位置する丸記号が白で表現されている。これにより各ノード１０間の接続状態を容易に把握して管理することができる。
【００４７】
図４に示すＶＬＡＮ接続表は、図３に示すクロスポイント表現における黒丸がどのＶＬＡＮ２０で構成されているかを表現した例である。ＶＬＡＮ接続表の各マス目（セル）１８がクロスポイント１５に相当し、黒丸に対応するマス目１９に使用されているＶＬＡＮ２０のＩＤが格納されている。これによりシステム状態を容易に把握して管理することが可能となる。この結果、ネットワークシステム１００を容易に管理することができる。
【００４８】
ノードＣからの指示により、接続先ＶＬＡＮ４０や通信先のノード１０等が変更された場合には、図３のクロスポイント表現における黒丸の位置が変更される。また図４のＶＬＡＮ接続表におけるＶＬＡＮのＩＤや当該ＩＤが格納されるマス目１９の位置が変更される。
【００４９】
このようにシステム状態の管理にクロスポイント表現が用いられる。これにより例えば図３及び図４に示す情報を介して、ネットワーク管理者または利用者はネットワークシステム１００の構成及び接続がどのようになっているかを知ることができる。これらの情報はネットワーク管理機能を有するノードＣで管理される。
【００５０】
なお図４に示すＶＬＡＮ接続表も、クロスポイント表現の一例として考えることも可能である。またクロスポイント表現は、ネットワークシステム１００の構成及び接続状態を管理するための表現形式の一例であり、その他の情報がシステム状態の管理のために用いられてもよい。
【００５１】
ノードＣにより、システム状態をクロスポイント表現により表示するための表示情報が出力されてもよい。すなわち図３に示すクロスポイント表現や図４に示すＶＬＡＮ接続表を表示させるための表示情報が出力されてもよい。システム状態は、ノードＣが有する表示部に表示されてもよい。あるいは、ＶＬＡＮ５を介して各ノード１０に表示情報が出力され、表示情報を受信したノード１０により表示されてもよい。これによりシステム状態の表示が可能となるので、ネットワークシステム１００のシステム状態の管理等が容易となる。
【００５２】
以上、本実施形態に係るネットワークシステム１００では、複数のノード１０のそれぞれが複数のＶＬＡＮ１−５の全てと接続可能なように、スイッチ５０が設けられる。そしてノードＣにより、各ノード１０に、接続先となるＶＬＡＮ４０が指示される。これにより複数のノード１０間でのパケット通信において使用可能な有用なネットワークシステム１００が実現する。例えば、ノードＣにより接続先ＶＬＡＮ４０が適宜指示されることにより、レイヤ２スイッチ５０を用いてルーティングスイッチと同等の機能を実現することができる。
【００５３】
上記した特許文献１には、ネットワーク資源の有効利用と障害復旧を提供する手段が記載されている。その手段として、ノード間接続に複数のＶＬＡＮを利用すること、そのＶＬＡＮは各々複数のレイヤ２スイッチで構成されること、障害復旧はＶＬＡＮを切替えで行うことが記載されている。複数のノードと複数のＶＬＡＮとの接続状態は固定されており、障害復旧等の際にはＶＬＡＮが適宜切り替えられる。
【００５４】
特許文献１に記載のネットワーク転送システムのように、ノード間の経路として複数のＶＬＡＮが固定で設定される。そして複数のＶＬＡＮの中から適宜経路を選択可能であるという設定だけでは、例えばそれを具現化するレイヤ２ネットワークの物理的なトポロジーは定まらない。また、ノード数増大に対するＶＬＡＮ及びレイヤ２スイッチの効果的な設定方法が明確ではないという問題が発生し得る。 
【００５５】
本実施形態に係るネットワークシステム１００では、複数のＶＬＡＮ１−５のそれぞれにクロスポイント構造が設定される。そしてノードＣにより接続先ＶＬＡＮ４０が適宜指示される。従ってクロスポイント構造の実現を目標として、物理的なトポロジーを設計することが可能になる。そのような物理的なトポロジーの設計は比較的容易に実行することができる。また以下の実施形態でも説明するが、本技術に係るネットワークシステム１００及び通信フローの経路設定方法（ノードＣによる接続先ＶＬＡＮの指示）においては、ノード数が増えた場合でも容易に大規模なネットワークシステムを構築することができる。
【００５６】
＜第２の実施形態＞
本技術に係る第２の実施形態のネットワークシステムについて説明する。これ以降の説明では、上記の実施形態で説明したネットワークシステム１００における構成及び作用と同様な部分については、その説明を省略又は簡略化する。
【００５７】
図５は、本実施形態に係るネットワークシステム２００の構成例を示す図である。ネットワークシステム２００では、２台のスイッチ２４５及び２４６によりパケット中継装置２５０が構成される。スイッチ２４５及び２４６には、ＶＬＡＮ１−５がそれぞれ設定されている。
【００５８】
図５に示すように、スイッチ２４５は、４つのトランクポート２５１−２５４と５つのアクセスポート２５５−２５９とを有する。４つのトランクポート２５１−２５４は、複数のＶＬＡＮ１−５の全てと接続可能に設定されている。４つのトランクポート２５１−２５４には、複数の通信装置２１０であるノードＡ１−Ａ４がそれぞれ接続される。
【００５９】
５つのアクセスポート２５５−２５９は、複数のＶＬＡＮ１−５とそれぞれ接続される。その接続の組み合わせは、（アクセスポート２５５、ＶＬＡＮ１）、（アクセスポート２５６、ＶＬＡＮ２）、（アクセスポート２５７、ＶＬＡＮ３）、（アクセスポート２５８、ＶＬＡＮ４）、（アクセスポート２５９、ＶＬＡＮ５）である。
【００６０】
スイッチ２４６は、４つのトランクポート２６１−２６４と６つのアクセスポート２６５−２７０とを有する。４つのトランクポート２６１−２６４は、複数のＶＬＡＮ１−５の全てと通信可能に設定されている。４つのトランクポート２６１−２６４には、複数の通信装置２１０であるノードＢ１−Ｂ４がそれぞれ接続される。
【００６１】
６つのアクセスポート２６５−２７０のうちの５つのアクセスポート２６５−２６９は、複数のＶＬＡＮ１−５とそれぞれ接続される。その接続の組み合わせは、（アクセスポート２６５、ＶＬＡＮ１）、（アクセスポート２６６、ＶＬＡＮ２）、（アクセスポート２６７、ＶＬＡＮ３）、（アクセスポート２６８、ＶＬＡＮ４）、（アクセスポート２６９、ＶＬＡＮ５）である。
【００６２】
スイッチ２４５が有する５つのアクセスポート２５５−２５９と、スイッチ２４６が有する５つのアクセスポート２６５−２６９とが同じＶＬＡＮ２２０に接続されたもの同士で接続される。これにより複数のＶＬＡＮ２２０を有し、複数のノード２１０のそれぞれが複数のＶＬＡＮ２２０の全てと接続可能なように、複数のノード２１０と接続されるパケット中継装置２５０が実現する。
【００６３】
なおスイッチ２４６が有するアクセスポート２７０はＶＬＡＮ５に接続される。このアクセスポート２７０には制御装置２３０であるノードＣが接続される。ノードＣにより、制御用ＶＬＡＮ２６０であるＶＬＡＮ５を介して、各ノード２１０に接続先ＶＬＡＮ２４０の指示が送信される。
【００６４】
図５に示す例では、図２に示すシステム状態と同じシステム状態が図示されている。従ってシステム状態を管理及び表示するためのクロスポイント表現及びＶＬＡＮ接続表は、図３及び図４に示すものと同様となる。
【００６５】
以上本実施形態では、複数のスイッチ２４５及び２４６によりパケット中継装置２５０が構成される。これにより例えばノードＡ１−Ａ４とノードＢ１−Ｂ４とが互いに距離が離れた位置に配置された場合でもネットワークシステム２００を構築することが可能となる。なお複数のスイッチ２４５及び２４６が用いられる場合、スイッチ２４５及び２４６の間でループが構成されないように、各アクセスポートに異なるＶＬＡＮ２２０が割り当てられる。
【００６６】
＜第３の実施形態＞
図６は、本技術の第３の実施形態に係るネットワークシステム３００の構成例を示す図である。このネットワークシステム３００でも、２台のスイッチ３４５及び３４６によりパケット中継装置３５０が構成される。
【００６７】
第２の実施形態のネットワークシステム２００と異なる点は、スイッチ３４５及び３４６が、トランクポート３７３及び３７４を介して接続されている点である。トランクポート３７３及び３７４はそれぞれ、複数のＶＬＡＮ１−５の全てと通信可能に設定されている。これらトランクポート３７３及び３７４が接続されることで、スイッチ３４５及び３４６が接続される。
【００６８】
このようにパケット中継装置３５０を構成する複数のスイッチ３４５及び３４６が、トランクポート３７３及び３７４を介して接続されてもよい。すなわちスイッチ３４５及び３４６の接続が、１つのリンク（トランクリンク）３７５に集約されてもよい。例えばリンク３７５として、ノードＡ１−Ａ４、Ｂ１−Ｂ４、及びＣの接続に用いられるリンク３７６よりも高帯域となるリンクが用いられる。これにより、各ＶＬＡＮ３２０の帯域が低下してしまうことを防止することができる。
【００６９】
＜第４の実施形態＞
図７は、本技術の第４の実施形態に係るネットワークシステム４００の構成例を示す図である。ここでは、１つのスイッチに接続できるノードの数が、制御装置となるノードＣを除いて所定の数に制限されているとする。その場合に、その数よりも多いノードをネットワークシステム４００に収容するための構成及び接続方法を説明する。
【００７０】
図７に示すように、ネットワークシステム４００では、２つのスイッチ４４５及び４４６によりパケット中継装置４５０が設定されている。スイッチ４４５には８つのトランクポート４５１（符号４５１で共通して図示）が設定されている。スイッチ４４６には８つのトランクポート４５２（符号４５２で共通して図示）と、１つのアクセスポート４５３とが設定されている。従ってスイッチ４４５及び４４６には、ノードＣを除き、８つのノード４１０のみが接続可能である。
【００７１】
スイッチ４４５及び４４６には、それぞれ９つのＶＬＡＮ１−９が設定される。スイッチ４４５及び４４６に接続された各ノード４１０は、ＶＬＡＮ１−９の全てと接続可能に設定される。なお図７では、図の煩雑をさけるために一部の接続線の表示が省略されている。
【００７２】
スイッチ４４５及び４４６にそれぞれ設定されたＶＬＡＮ１−９は、アクセスポート４５４（符号４５２で共通して図示）を介したリンク４５５により、ＶＬＡＮ４２０ごとに接続される。図７に示すように、ＶＬＡＮ９は、アクセスポート４５３を介してノードＣに接続される。すなわちＶＬＡＮ９は、制御用ＶＬＡＮ４６０として使用される。なお複数のリンク４５５は、第３の実施形態と同様に、例えばより少ない数のリンクに集約することが可能である。
【００７３】
このような構成を有することにより、ネットワークシステム４００では、１つのスイッチ４４５（４４６）に設定されたトランクポート４５１（４５２）の数の倍となる１６のノード４１０を収容することが可能となる。すなわちトランクポート４５１（４５２）の数よりも多い数のＶＬＡＮ４２０が設定されることで、ネットワークシステム４００に収容可能なノード４１０の数を増やすことが可能となる。その結果、ノード数が増えた場合でも容易に大規模なネットワークシステム４００を構築することができる。
【００７４】
図８は、ネットワークシステム４００の接続状態を管理するために用いられるクロスポイント表現の例を示す図である。図９は、システム状態を表現する一例としてのＶＬＡＮ接続表である。なお図８及び図９では、図７に示す接続状態が表現されている。
【００７５】
図８では、ノードＡ１−Ａ８からなるノード群４１６を縦方向に、ノードＢ１−Ｂ８からなるノード群４１７を横方向に配置されている。そして通信設定されたノード４１０間に位置する丸記号（クロスポイント４１５）が黒に、通信設定が未設定のノード４１０間に位置する丸記号が白で表現されている。図９に示すＶＬＡＮ接続表では、図８に示すクロスポイント表現における黒丸がどのＶＬＡＮ４２０で構成されているかを表現されている。
【００７６】
このようにクロスポイント表現が用いられることで、ノード数が増えネットワークシステム４００が大規模なった場合でも、システム状態を容易に把握して管理することが可能となる。ノードＣにより、図８に示すクロスポイント表現や図９に示すＶＬＡＮ接続表を表示させるための表示情報が出力されてもよい。
【００７７】
＜第５の実施形態＞
図１０は、本技術の第５の実施形態に係るネットワークシステム５００の構成例を示す図である。図１０では、図の煩雑をさけるために一部の接続線の表示が省略されている。
【００７８】
本実施形態では、３つのスイッチ５４５−５４７によりパケット中継装置５５０が構成される。各スイッチ５４５−５４７は、８つのトランクポート５５１を有する。各スイッチ５４５−５４７にて、１３のＶＬＡＮ１−１３が設定される。スイッチ５４７にはアクセスポート５５２を介して制御装置５３０であるノードＣが接続される。アクセスポート５５２には、ＶＬＡＮ１３が接続され、そのＶＬＡＮ１３が制御用ＶＬＡＮとして使用される。その他、各スイッチ５４５−５４７に対する複数のノード５１０の接続や、スイッチ５４５−５４７間の接続等は、第４の実施形態で説明したものと同様でよい。
【００７９】
このような構成を有するネットワークシステム５００では、第４の実施形態で説明したネットワークシステム４００よりもさらに多い数である２４のノード５１０を収納することが可能となる（ノードＣを除く）。このようにスイッチ５４５−５４７の数を増加させることで、容易に大規模なネットワークシステム５００を構築することができる。
【００８０】
図１１は、ネットワークシステム５００の接続状態を管理するために用いられるクロスポイント表現の例を示す図である。図１２は、システム状態を表現する一例としてのＶＬＡＮ接続表である。なお図１１及び図１０では、システム状態の一例が示されている。
【００８１】
さらにノード数が増えネットワークシステム５００が大規模になった場合でも、クロスポイント表現を用いることで、システム状態を容易に把握して管理することが可能となる。図１１に示すクロスポイント表現や図１２に示すＶＬＡＮ接続表を表示させるための表示情報が出力されてもよい。
【００８２】
＜第６の実施形態＞
図１３は、本技術の第６の実施形態に係るネットワークシステム６００の構成例を示す図である。図１３では、スイッチ６５０内部において接続が活きている接続線のみが図示されている。しかしながらスイッチ６５０の設定は上記の実施形態で説明したものと同様である。すなわち各トランクポート６５１は、ＶＬＡＮ１−５の全てと接続可能に設定されている。従って、各ノード６１０は、ＶＬＡＮ１−５の全てと接続可能である。
【００８３】
本実施形態に係るネットワークシステム６００では、ノードＣによる指示により、ノード６１０間におけるマルチキャスト通信が実現される。図１３では、ノードＡ１、ノードＢ１、及びノードＢ２の接続先ＶＬＡＮ６４０が、いずれもＶＬＡＮ１に設定されている。これにより、ノードＡ１からノードＢ１及びノードＢ２へのＶＬＡＮ１を使ったマルチキャスト通信が可能となる。このように、ノードＣによる接続先ＶＬＡＮ６４０の指示が制御されることで、ルチキャスト通信が実現可能となる。当然のことながら２つ以上のノードに対してマルチキャスト通信が行われてもよい。
【００８４】
図１４は、ネットワークシステム６００の接続状態を管理するために用いられるクロスポイント表現の例を示す図である。図１５は、システム状態を表現する一例としてのＶＬＡＮ接続表である。なお図１４及び図１５では、図１３に示すシステム状態が表現されている。
【００８５】
図１４に示すクロスポイント表現では、ノードＡ１及びノードＢ１間の丸記号６１５と、ノードＡ１及びノードＢ２間の丸記号６１６とが黒で表現されている。また図１５に示すＶＬＡＮ接続表において、当該丸記号６１５及び６１６での黒丸がＶＬＡＮ１で構成されていることが表現されている。これらの情報をもとに、マルチキャスト通信が行われていることを容易に把握することができ、システム状態を管理することができる。
【００８６】
＜第７の実施形態＞
図１６は、本技術の第７の実施形態に係るネットワークシステム７００の構成例を示す図である。図１６では、スイッチ７５０内部において接続が活きている接続線のみが図示されている。スイッチ設定は上記の実施形態と同様であり、各トランクポート７５１は、ＶＬＡＮ１−５の全てと接続可能に設定されている。
【００８７】
本実施形態に係るネットワークシステム７００では、ノードＣによる指示により、複数のフローを１つのノード７１０で受信する通信が実行される。図１６では、ノードＡ１、ノードＡ２、及びノードＢ１の接続先ＶＬＡＮ７４０が、いずれもＶＬＡＮ１に設定されている。これにより、ノードＡ１及びノードＡ２の両方からノードＢ１へのＶＬＡＮ１を使った通信が可能となる。
【００８８】
ノードＣによる接続先ＶＬＡＮ７４０の指示が制御されることで、このような通信が実現可能となる。なおノードＡ１からのパケットとノードＡ２からのパケットとをともに受信するためのプロトコル等は限定されない。また当然のことながら３つ以上のノード７１０から１つのノード７１０に対して通信が行われてもよい。
【００８９】
図１７は、ネットワークシステム７００の接続状態を管理するために用いられるクロスポイント表現の例を示す図である。図１８は、システム状態を表現する一例としてのＶＬＡＮ接続表である。なお図１７及び図１８では、図１６に示すシステム状態が表現されている。
【００９０】
図１７に示すクロスポイント表現では、ノードＡ１及びノードＢ１間の丸記号７１５と、ノードＡ２及びノードＢ１間の丸記号７１６とが黒で表現されている。また図１８に示すＶＬＡＮ接続表において、当該丸記号７１５及び７１６での黒丸がＶＬＡＮ１で構成されていることが表現されている。これらの情報をもとに、複数のフローを１つのノードで受信する通信が行われていることを容易に把握することができ、システム状態を管理することができる。
【００９１】
＜第８の実施形態＞
図１９は、本技術の第８の実施形態に係るネットワークシステム８００の構成例を示す図である。図１９では、スイッチ８５０内部において接続が活きている接続線のみが図示されている。スイッチ設定は上記の実施形態と同様であり、各トランクポート８５１−８５８は、ＶＬＡＮ１−５の全てと接続可能に設定されている。
【００９２】
本実施形態に係るネットワークシステム８００では、パケット通信用のノード８１０として、複数のネットワークインタフェース８１１を有するノードが用いられる。図１９に示すように、ノードＤは、２つのインタフェースＤ１及びＤ２を有する。インタフェースＤ１はスイッチ８５０のトランクポート８５１と接続される。インタフェースＤ２は、トランクポート８５２と接続される。なお３以上のインタフェース８１１が備えられてもよい。
【００９３】
インタフェースＤ１を介して、制御用ＶＬＡＮ８６０としてＶＬＡＮ５が設定されている。また同じインタフェースＤ１を介して、接続先ＶＬＡＮ８４０としてＶＬＡＮ１が設定されている。さらにインタフェースＤ２を介して、接続先ＶＬＡＮ８４０としてＶＬＡＮ２が設定されている。
【００９４】
またノードＥは、２つのインタフェースＥ１及びＥ２を有する。インタフェースＥ１はスイッチ８５０のトランクポート８５５と接続される。インタフェースＥ２は、トランクポート８５６と接続される。インタフェースＥ１を介して、制御用ＶＬＡＮ８６０であるＶＬＡＮ５と、接続先ＶＬＡＮ８４０としてのＶＬＡＮ１が設定されている。さらにインタフェースＥ２を介して、接続先ＶＬＡＮ８４０としてＶＬＡＮ２が設定されている。
【００９５】
ノードＣによるこのような指示により、インタフェースＤ１及びＥ１がＶＬＡＮ１を介して通信可能となる。またインタフェースＤ２及びＥ２がＶＬＡＮ２を介して通信可能となる。
【００９６】
図２０は、ネットワークシステム８００の接続状態を管理するために用いられるクロスポイント表現の例を示す図である。図２１は、システム状態を表現する一例としてのＶＬＡＮ接続表である。なお図２０及び図２１では、図１９に示すシステム状態が表現されている。
【００９７】
図２０に示すクロスポイント表現では、ノードＤ及びＥについて２つのライン（ライン８２１及び８２２とライン８２３及び８２４）がそれぞれ接続されている。これらのラインは、インタフェースＤ１及びＤ２とインタフェースＥ１及びＥ２に対応付けられている。
【００９８】
そしてライン８２１及び８２３上のクロスポイント８１５と、ライン８２２及び８２４上のクロスポイント８１６とが黒丸で表現されている。図２１に示すＶＬＡＮ接続表では、ノードＤが有する２つのインタフェースＤ１及びＤ２のＩＤと、ノードＥが有する２つのインタフェースＤ１及びＤ２のＩＤとが格納される。また各インタフェース間の黒丸を構成するＶＬＡＮ８２０のＩＤが格納される。
【００９９】
以上、本実施形態では、パケット通信を行うノード８１０として複数のネットワークインタフェース８１１を有するノードが用いられる。すなわち複数のＶＬＡＮ１−５のうち２以上のＶＬＡＮ８２０をそれぞれ接続先ＶＬＡＮ８４０として、当該２以上の接続先ＶＬＡＮ８４０と同時に接続可能なノード８１０が用いられる。
【０１００】
このようなノードが用いられる場合でも、図２０や図２１に示すようなクロスポイント表現を用いた情報を管理及び表示することで、ネットワークシステム８００のシステム状態を容易に把握して管理することが可能となる。
【０１０１】
＜第９の実施形態＞
図２２は、本技術の第９の実施形態に係るネットワークシステム９００の構成例を示す図である。本実施形態では、複数のノード９１０間において、接続可能なノード９１０の組み合わせが制限されている。
【０１０２】
図２２に示すように、スイッチ９４５及び９４６によりパケット中継装置９５０が構成される。スイッチ９４５には、５つのＶＬＡＮ１−５が設定されている。一方、スイッチ９４６には、３つのＶＬＡＮ１、２及び５が設定されている。
【０１０３】
スイッチ９４５は、６つのトランクポート９５１−９５６と、３つのアクセスポート９５７−９５９を有する。これらのポートには、複数のノード９１０及びスイッチ９４６の３つのアクセスポート９６３−９６５が接続される。以下に、各ポートとＶＬＡＮ１−５とのスイッチ設定、及び各ポートとノード等との接続設定とを記載する。ポートの名称に続く括弧内のＶＬＡＮ９２０が、当該ポートと接続可能なＶＬＡＮ９２０である。その括弧に続くノード等が当該ポートに接続されるノードである。
トランクポート９５１（ＶＬＡＮ１、２及び５）ノードＡ１
トランクポート９５２（ＶＬＡＮ１、２及び５）ノードＡ２
トランクポート９５３（ＶＬＡＮ３、４及び５）ノードＡ３
トランクポート９５４（ＶＬＡＮ３、４及び５）ノードＡ４
トランクポート９５５（ＶＬＡＮ３、４及び５）ノードＢ３
トランクポート９５６（ＶＬＡＮ３、４及び５）ノードＢ４
アクセスポート９５７（ＶＬＡＮ１）アクセスポート９６３
アクセスポート９５８（ＶＬＡＮ２）アクセスポート９６４
アクセスポート９５９（ＶＬＡＮ５）アクセスポート９６５
【０１０４】
スイッチ９４６は、２つのトランクポート９６１及び９６２と、４つのアクセスポート９６３−９６６を有する。これらのポートに関するスイッチ設定及び接続設定を以下に記載する。
トランクポート９６１（ＶＬＡＮ１、２及び５）ノードＢ１
トランクポート９６２（ＶＬＡＮ１、２及び５）ノードＢ２
アクセスポート９６３（ＶＬＡＮ１）アクセスポート９５７
アクセスポート９６４（ＶＬＡＮ２）アクセスポート９５８
アクセスポート９６５（ＶＬＡＮ５）アクセスポート９５９
アクセスポート９６６（ＶＬＡＮ５）ノードＣ
【０１０５】
このようなスイッチ設定及び接続設定からも分るように、本実施形態に係るパケット中継装置９５０は、パケット通信のための複数のＶＬＡＮ１−５を有し、複数のノード９１０のそれぞれが複数のＶＬＡＮ１−５のうち少なくとも２以上のＶＬＡＮ９２０と接続可能なように、複数のノード９１０と接続される。そして制御装置であるノードＣにより、パケット中継装置９５０を介して複数のノード９１０のそれぞれに、複数のＶＬＡＮ９２０の中から接続先ＶＬＡＮ９４０が選択されて指示される。
【０１０６】
この結果、ノードＡ１及びＡ２は、スイッチ９４５及び９４６を経由してノードＢ１及びノードＢ２と通信可能となる。その際にはＶＬＡＮ１又はＶＬＡＮ２が使用される。その一方で、ノードＡ１及びＡ２はノードＢ３及びＢ４との通信が制限される。
【０１０７】
ノードＡ３及びＡ４は、スイッチ９４５内でノードＢ３及びノードＢ４通信可能となる。その際にはＶＬＡＮ３又はＶＬＡＮ４が使用される。その一方でノードＡ３及びＡ４は、ノードＢ１及びＢ２との通信が制限される。
【０１０８】
このように、各ノード９１０が全てのＶＬＡＮ９２０と接続可能ではなく、２以上のＶＬＡＮ９２０と接続可能であってもよい。ノードＣにより、各ノード９１０が接続可能な２以上のＶＬＡＮ９２０から接続先ＶＬＡＮ９４０が選択されて指示される。このような構成でも、複数のノード９１０間でのパケット通信において使用可能な有用なネットワークシステム９００を実現することが可能である。
【０１０９】
図２３は、ネットワークシステム９００の接続状態を管理するために用いられるクロスポイント表現の例を示す図である。図２４は、システム状態を表現する一例としてのＶＬＡＮ接続表である。なお図２３及び図２４では、図２２に示すシステム状態が表現されている。
【０１１０】
図２３に示すクロスポイント表現では、接続が制限されているノード９１０間のクロスポイント９１５には、丸記号が設定されない。接続可能なノード９１０間のクロスポイント９１６のみに丸記号が設定され、通信設定された丸記号が黒で表現される。これにより接続の制限も含む各ノード９１０間の接続状態を容易に把握して管理することができる。
【０１１１】
図２４に示すＶＬＡＮ接続表でも、接続が制限されているノード９１０間のクロスポイント９１５に対応するマス目９１７には、接続不可を表わす×記号が格納される。接続可能なマス目９１８には、通信に用いられているＶＬＡＮのＩＤが格納される。図２３や図２４に示すようなクロスポイント表現を用いた情報を管理及び表示することで、ネットワークシステム９００のシステム状態を容易に把握して管理することが可能となる。
【０１１２】
上記の各実施形態で説明したように、本技術に係るネットワークシステムでは、ノード数とレイヤ２スイッチ台数に係るネットワーク構成条件における規模の検討が容易になる。またスイッチ設定を変更することなくシステム状態を適宜変更することが可能である。
【０１１３】
上記の各実施形態において制御装置及び通信装置としては、例えばＰＣ（Personal Computer）等の種々の情報処理装置（コンピュータ）が用いられる。図２５は、そのような情報処理装置の構成例を示す模式的なブロック図である。
【０１１４】
情報処理装置１０００は、ＣＰＵ（Central Processing Unit）１００１、ＲＯＭ（Read Only Memory）１００２、ＲＡＭ（Random Access Memory）１００３、入出力インタフェース１００５、及び、これらを互いに接続するバス１００４を備える。
【０１１５】
入出力インタフェース１００５には、表示部１００６、入力部１００７、記憶部１００８、通信部１００９、ドライブ部１０１０等が接続される。
【０１１６】
表示部１００６は、例えば液晶、ＥＬ（Electro-Luminescence）、ＣＲＴ（Cathode Ray Tube）等を用いた表示デバイスである。
【０１１７】
入力部１００７は、例えばコントローラ、ポインティングデバイス、キーボード、タッチパネル、その他の操作装置である。入力部１００７がタッチパネルを含む場合、そのタッチパネルは表示部１００６と一体となり得る。
【０１１８】
記憶部１００８は、不揮発性の記憶デバイスであり、例えばＨＤＤ（Hard Disk Drive）、フラッシュメモリ、その他の固体メモリである。
【０１１９】
ドライブ部１０１０は、例えば光学記録媒体、フロッピー（登録商標）ディスク、磁気記録テープ、フラッシュメモリ等、リムーバブルの記録媒体１０１１を駆動することが可能なデバイスである。これに対し上記記憶部１００８は、主にリムーバブルでない記録媒体を駆動する、情報処理装置１０００に予め搭載されたデバイスとして使用される場合が多い。
【０１２０】
通信部１００９は、ＬＡＮ、ＷＡＮ（Wide Area Network）等に接続可能な、他のデバイスと通信するためのモデム、ルータ、その他の通信機器である。通信部１００９は、有線及び無線のどちらを利用して通信するものであってもよい。通信部１００９は、情報処理装置１０００とは別体で使用される場合が多い。
【０１２１】
上記のようなハードウェア構成を有する情報処理装置１０００による情報処理は、記憶部１００８またはＲＯＭ１００２等に記憶されたソフトウェアと、情報処理装置１０００のハードウェア資源との協働により実現される。具体的には、ＣＰＵ１００１が記憶部１００８またはＲＯＭ１００２等に記憶された、ソフトウェアを構成するプログラムをＲＡＭ１００３にロードして実行することにより実現される。
【０１２２】
プログラムは、例えば記録媒体を介して情報処理装置１０００にインストールされる。あるいは、グローバルネットワーク等を介してプログラムが情報処理装置１０００にインストールされてもよい。
【０１２３】
＜その他の実施形態＞
本技術は、以上説明した実施形態に限定されず、他の種々の実施形態を実現することができる。
【０１２４】
例えば図２６は、本技術の他の実施形態としてのネットワークシステムの構成例を示す図である。このネットワークシステム１１００では、パケット中継装置１１５０として、複数のネットワーク１１２０として複数のＬＡＮ（Local Area Network）を有する１以上のレイヤ３スイッチが用いられる。このように複数のネットワークとして複数のＬＡＮが用いられてもよい。
【０１２５】
制御装置１１３０としてのノードＣ、及び複数の通信装置１１１０としてのノードの動作は、上記で説明した動作と同様である。このネットワークシステム１１００のように、上記の各実施形態において、複数のＶＬＡＮの代わりに複数のＬＡＮが用いられてよい。例えばＩＰアドレス等が適宜用いられて、接続先ＬＡＮや通信先ノードの指示が実行される。
【０１２６】
例えばノードに対して接続先ネットワークが固定されてもよい。すなわち制御装置から接続先ネットワークとして常に同じネットワークが指示されてもよい。また接続先ネットワークが指示される複数のノードに加えて、アクセスポートを介して１つネットワークのみに接続された通信用のノードがさらに用いられてもよい。
【０１２７】
図４等に示すＶＬＡＮ接続表に、各ＶＬＡＮに関する帯域等の他の情報が格納されてもよい。これによりネットワークのシステム状態をより把握して管理することが可能となる。
【０１２８】
以上説明した各形態の特徴部分のうち、少なくとも２つの特徴部分を組み合わせることも可能である。
【０１２９】
なお、本技術は以下のような構成も採ることができる。
（１）パケット通信が可能な複数の通信装置と、
前記パケット通信のための複数のネットワークを有し、前記複数の通信装置のそれぞれが前記複数のネットワークのうち少なくとも２以上のネットワークと接続可能なように、前記複数の通信装置と接続されるパケット中継装置と、
前記パケット中継装置を介して前記複数の通信装置のそれぞれに、前記複数のネットワークの中から接続先となる前記ネットワークを選択して指示する制御装置と
を具備するネットワークシステム。
（２）（１）に記載のネットワークシステムであって、
前記パケット中継装置は、前記複数の通信装置のそれぞれが前記複数のネットワークの全てと接続可能なように、前記複数の通信装置と接続される
ネットワークシステム。
（３）（１）又は（２）に記載のネットワークシステムであって、
前記パケット中継装置は、前記複数のネットワークとして複数のＶＬＡＮ（Virtual Local Area Network）を有する１以上のレイヤ２スイッチである
ネットワークシステム。
（４）（１）又は（２）に記載のネットワークシステムであって、
前記パケット中継装置は、前記複数のネットワークとして複数のＬＡＮ（Local Area Network）を有する１以上のレイヤ３スイッチである
ネットワークシステム。
（５）（１）から（４）のうちいずれか１つに記載のネットワークシステムであって、
前記パケット中継装置は、前記複数のネットワークのうちの１つとして、前記制御装置による指示のための前記複数の通信装置に共通して接続される制御用ネットワークを有し、
前記制御装置は、前記制御用ネットワークを介して、前記複数のネットワークのうち前記制御用ネットワークを除く複数の通信用のネットワークの中から前記接続先のネットワークを選択して指示する
ネットワークシステム。
（６）（１）から（５）のうちいずれか１つに記載のネットワークシステムであって、
前記制御装置は、前記複数の通信装置間の接続状態と、前記複数の通信装置と前記複数のネットワークとの接続状態とを含むシステム状態を、クロスポイント表現を用いて管理する
ネットワークシステム。
（７）（６）に記載のネットワークシステムであって、
前記制御装置は、前記システム状態を前記クロスポイント表現により表示するための表示情報を出力する
ネットワークシステム。
（８）（１）から（７）のうちいずれか１つに記載のネットワークシステムであって、
前記制御装置は、前記接続先のネットワークの指示として、前記接続先ネットワークの情報と、前記パケット通信の通信先となる前記複数の通信装置のうちの他の通信装置のアドレスとを含む設定情報を送信する
ネットワークシステム。
（９）（８）に記載のネットワークシステムであって、
前記通信装置は、前記制御装置により送信された前記設定情報をもとに、パケット通信のための設定を実行する
ネットワークシステム。
（１０）（１）から（９）のうちいずれか１つに記載のネットワークシステムであって、
前記通信装置は、前記複数のネットワークのうち２以上のネットワークをそれぞれ前記接続先ネットワークとして、当該２以上の接続先ネットワークと同時に接続可能である
ネットワークシステム。
（１１）（１）から（１０）のうちいずれか１つに記載のネットワークシステムであって、
前記制御装置は、前記指示のために、前記通信装置とＳＮＰＭ（Simple Network Management Protocol）により通信する
ネットワークシステム。
【符号の説明】
【０１３０】
１０、２１０、４１０、５１０、６１０、７１０、８１０、９１０、１１１０…通信装置（ノード）
２０、２２０、３２０、４２０、８２０、９２０、１１２０…ネットワーク（ＶＬＡＮ）
３０、２３０、５３０、１１３０…制御装置
４０、２４０、６４０、７４０、８４０、９４０…接続先ＶＬＡＮ
５０、２５０、３５０、４５０、５５０、９５０、１１５０…パケット中継装置
６０、２６０、４６０、８６０…制御用ＶＬＡＮ
７０…通信用ＶＬＡＮ
１００、２００、３００、４００、５００、６００、７００、８００、９００、１１００…ネットワークシステム
【図１】
2014057239.tif 000003
【図２】
2014057239.tif 000004
【図３】
2014057239.tif 000005
【図４】
2014057239.tif 000006
【図５】
2014057239.tif 000007
【図６】
2014057239.tif 000008
【図７】
2014057239.tif 000009
【図８】
2014057239.tif 000010
【図９】
2014057239.tif 000011
【図１０】
2014057239.tif 000012
【図１１】
2014057239.tif 000013
【図１２】
2014057239.tif 000014
【図１３】
2014057239.tif 000015
【図１４】
2014057239.tif 000016
【図１５】
2014057239.tif 000017
【図１６】
2014057239.tif 000018
【図１７】
2014057239.tif 000019
【図１８】
2014057239.tif 000020
【図１９】
2014057239.tif 000021
【図２０】
2014057239.tif 000022
【図２１】
2014057239.tif 000023
【図２２】
2014057239.tif 000024
【図２３】
2014057239.tif 000025
【図２４】
2014057239.tif 000026
【図２５】
2014057239.tif 000027
【図２６】
2014057239.tif 000028